(57)【特許請求の範囲】
【請求項１】
空気調和装置の利用側装置又は熱源側装置を制御するアプリケーションを端末上で実現するプログラムであって、
前記アプリケーションが、前記利用側装置又は前記熱源側装置の識別情報、設定項目及び駆動指示子を含む設定画面を前記端末上に表示する処理を前記端末に実行させ、
前記設定項目は、前記利用側装置又は前記熱源側装置のアドレスであるプログラム。
【請求項２】
前記設定画面は、複数の利用側装置及び複数の熱源側装置の識別情報、各利用側装置及び各熱源側装置の設定項目及び各利用側装置及び各熱源側装置の駆動指示子を含む、請求項１記載のプログラム。
【請求項３】
前記駆動指示子は、前記利用側装置及び前記熱源側装置の装置毎に設けられ、
当該プログラムは、
第１の装置の駆動指示子がオン状態に設定されている間に第２の装置の駆動指示子がオン状態に設定されると、前記アプリケーションが、前記第２の装置のファンを駆動し、前記第１の装置のファンを停止する処理を前記端末に更に実行させる、請求項２記載のプログラム。
【請求項４】
前記設定項目は、前記利用側装置の風向を含む、請求項１乃至３何れか一項記載のプログラム。
【請求項５】
当該プログラムは、
前記駆動指示子がオン状態に設定されてから所定の時間内に前記端末が操作されなかった場合、前記アプリケーションが、前記駆動指示子をオフ状態に設定する処理を前記端末に更に実行させる、請求項１乃至４何れか一項記載のプログラム。
【請求項６】
当該プログラムは、
前記アプリケーションが、前記利用側装置又は前記熱源側装置の前記設定項目に関する設定情報と、前記利用側装置又は前記熱源側装置のアクチュエータを駆動するための駆動指令とをリモコンに送信し、前記リモコンとの通信切断から所定時間経過すると、前記アクチュエータの駆動を停止する処理を前記端末に更に実行させる、請求項１乃至５何れか一項記載のプログラム。
【請求項７】
前記駆動指示子は、前記利用側装置又は前記熱源側装置におけるインストーラによる目視可能なアクチュエータの駆動を指示する、請求項１乃至６何れか一項記載のプログラム。
【請求項８】
前記駆動指示子は、前記利用側装置又は前記熱源側装置のファンの駆動を指示する、請求項１乃至７何れか一項記載のプログラム。
【請求項９】
空気調和装置の利用側装置又は熱源側装置を制御するアプリケーションを有する端末によって実行される制御方法であって、
前記アプリケーションが、前記利用側装置又は前記熱源側装置の識別情報、設定項目及び駆動指示子を含む設定画面を前記端末上に表示するステップを有し、
前記設定項目は、前記利用側装置又は前記熱源側装置のアドレスである制御方法。
【発明の詳細な説明】
【技術分野】
【０００１】
本開示は、空気調和装置を制御するためのプログラム及び方法に関する。
【背景技術】
【０００２】
空気調和装置（空調機）は、利用側装置と熱源側装置とから構成され、典型的には、利用側装置は室内に設置され、熱源側装置は室外に設置される。また、ビル、施設などでは、一般に多数の空気調和装置が設置され、多くの利用側装置が建物内の様々なエリアに設置される。
【０００３】
建物への空気調和装置の設置後、設置業者は、各空気調和装置に対して初期設定を行う必要がある。
【先行技術文献】
【特許文献】
【０００４】
【特許文献１】特開２０１７−１６３６０９号公報
【発明の概要】
【発明が解決しようとする課題】
【０００５】
本開示では、空気調和装置に対する設定を効率的に実現するための技術を提案する。
【課題を解決するための手段】
【０００６】
本開示の一態様は、空気調和装置の利用側装置又は熱源側装置を制御するアプリケーションを端末上で実現するプログラムであって、
前記アプリケーションが、前記利用側装置又は前記熱源側装置の識別情報、設定項目及び駆動指示子を含む設定画面を前記端末上に表示する処理を前記端末に実行させるプログラムに関する。
【０００７】
本態様によると、空気調和装置に対する設定を効率的に実現することが可能になる。すなわち、駆動指示子が識別情報及び設定項目と同一画面上に表示されるため、アプリケーションのユーザは設定画面から移動することなく、利用側装置又は熱源側装置を駆動させることができ、駆動対象の利用側装置又は熱源側装置を認識できる。
【０００８】
一実施例では、前記設定画面は、複数の利用側装置及び複数の熱源側装置の識別情報、各利用側装置及び各熱源側装置の設定項目及び各利用側装置及び各熱源側装置の駆動指示子を含んでもよい。
【０００９】
一実施例では、
前記駆動指示子は、前記利用側装置及び前記熱源側装置の装置毎に設けられ、
当該プログラムは、
第１の装置の駆動指示子がオン状態に設定されている間に第２の装置の駆動指示子がオン状態に設定されると、前記アプリケーションが、前記第２の装置のファンを駆動し、前記第１の装置のファンを停止する処理を前記端末に更に実行させてもよい。
【００１０】
本実施例によると、複数の空気調和装置に対する設定を効率的に行うことが可能になる。
【００１１】
一実施例では、前記設定項目は、前記利用側装置の風向であってもよい。
【００１２】
一実施例では、前記設定項目は、前記利用側装置又は前記熱源側装置のアドレスであってもよい。
【００１３】
本実施例によると、空気調和装置に対して風向及びアドレスを設定することが可能になる。
【００１４】
一実施例では、当該プログラムは、
前記駆動指示子がオン状態に設定されてから所定の時間内に前記端末が操作されなかった場合、前記アプリケーションが、前記駆動指示子をオフ状態に設定する処理を前記端末に更に実行させてもよい。
【００１５】
一実施例では、当該プログラムは、
前記アプリケーションが、前記利用側装置又は前記熱源側装置の前記設定項目に関する設定情報と、前記利用側装置又は前記熱源側装置のアクチュエータを駆動するための駆動指令とをリモコンに送信し、前記リモコンとの通信切断から所定時間経過すると、前記アクチュエータの駆動を停止する処理を前記端末に更に実行させてもよい。
【００１６】
本実施例によると、駆動したアクチュエータをオフ状態にし忘れることを回避することができる。
【００１７】
一実施例では、前記駆動指示子は、前記利用側装置又は前記熱源側装置におけるインストーラによる目視可能なアクチュエータの駆動を指示してもよい。
【００１８】
一実施例では、前記駆動指示子は、前記利用側装置又は前記熱源側装置のファンの駆動を指示してもよい。
【００１９】
本実施例によると、インストーラが駆動中の空気調和装置を特定することが可能になる。
【００２０】
本開示の他の態様は、
空気調和装置の利用側装置又は熱源側装置を制御するアプリケーションを有する端末によって実行される制御方法であって、
前記アプリケーションが、前記利用側装置又は前記熱源側装置の識別情報、設定項目及び駆動指示子を含む設定画面を前記端末上に表示するステップを有する制御方法に関する。
【００２１】
本態様によると、空気調和装置に対する設定を効率的に実現することが可能になる。すなわち、駆動指示子が識別情報及び設定項目と同一画面上に表示されるため、アプリケーションのユーザは設定画面から移動することなく、利用側装置又は熱源側装置を駆動させることができ、駆動対象の利用側装置又は熱源側装置を認識できる。
【図面の簡単な説明】
【００２２】
【図１】本開示の一実施例による制御システムを示す概略図である。
【図２】本開示の一実施例による端末及びリモコンのハードウェア構成を示すブロック図である。
【図３】本開示の一実施例によるアドレス設定画面を示す図である。
【図４】本開示の一実施例によるアドレス設定画面を示す図である。
【図５】本開示の一実施例によるアドレス設定画面を示す図である。
【図６】本開示の一実施例によるアドレス設定画面を示す図である。
【図７】本開示の一実施例による風向設定画面を示す図である。
【図８】本開示の一実施例による風向設定画面を示す図である。
【図９】本開示の一実施例による風向設定画面を示す図である。
【図１０】本開示の一実施例による制御処理を示すシーケンス図である。
【発明を実施するための形態】
【００２３】
以下、実施形態を説明する。
［制御システム］
本開示の以下の実施例では、空気調和装置を制御するリモコンと、当該リモコンを介し空気調和装置を設定するスマートフォン、タブレットなどの端末とを利用して、空気調和装置を設定及び制御する制御システムが開示される。
【００２４】
図１に示されるように、本開示の実施例による制御システム１０は、空気調和装置（空調機）５０、当該空気調和装置５０を制御するリモコン２００、及びインストールされているアプリケーション１１０を利用してリモコン２００を介し複数の空気調和装置５０を設定及び制御する端末１００を有する。通信接続可能な端末１００及びリモコン２００は、空気調和装置５０を設置する際、設置業者（インストーラ）によって空気調和装置５０の初期設定などに利用され、設置後は、空気調和装置５０を運用する管理者によって利用される。例えば、空気調和装置５０を設置する際、インストーラは、各空気調和装置５０の利用側装置（室内機）２１０及び熱源側装置（室外機）２２０に対してアドレスを設定したり、利用側装置２１０の設置場所に適した風向を設定するなどの初期設定を行う。
【００２５】
なお、以下の実施例は、端末１００及びリモコン２００によって空気調和装置５０を設定及び制御することに着目するが、本開示による制御システム１０はこれに限定される必要はなく、有線又は無線接続された２つ以上の制御装置が連携して空気調和装置５０を設定及び制御する他の何れかの実施形態に適用されてもよい。
【００２６】
以下の実施例による制御システム１０では、端末１００上で起動されるアプリケーション１１０は、端末１００と通信接続されているリモコン２００を介し空気調和装置５０の利用側装置２１０又は熱源側装置２２０を制御する。空気調和装置５０を設置する際、インストーラは、アプリケーション１１０を操作して、端末１００上に表示された利用側装置２１０又は熱源側装置２２０の識別情報、設定項目（例えば、風向、アドレスなど）及び駆動指示子（例えば、オン／オフを設定するアイコン、スイッチなど）を含む設定画面から空気調和装置５０を設定及び制御する。
【００２７】
これにより、例えば、アドレスが未割り当ての状態で特定のエリア（例えば、インストーラによる設定対象のフロア、区画など）に設置されている複数の空気調和装置５０に対して、インストーラは、端末１００上に一画面として表示されている設定画面を操作して、駆動指示子の押下などによって空気調和装置５０のアクチュエータの動作を設定対象の空気調和装置５０に実行させ、空気調和装置５０の位置を確認しながら、画面遷移することなく位置確認した空気調和装置５０に対する初期設定を行うことが可能になる。
【００２８】
ここで、端末１００及びリモコン２００は、例えば、図２に示されるようなハードウェア構成を有してもよい。すなわち、端末１００及びリモコン２００はそれぞれ、入力装置５０１、表示装置５０２、外部インタフェース（Ｉ／Ｆ）５０３、ＲＡＭ（Ｒａｎｄｏｍ  Ａｃｃｅｓｓ  Ｍｅｍｏｒｙ）５０４、ＲＯＭ（Ｒｅａｄ−Ｏｎｌｙ  Ｍｅｍｏｒｙ）５０５、ＣＰＵ（Ｃｅｎｔｒａｌ  Ｐｒｏｃｅｓｓｉｎｇ  Ｕｎｉｔ）５０６、通信インタフェース（Ｉ／Ｆ）５０７、及びＨＤＤ（Ｈａｒｄ  Ｄｉｓｋ  Ｄｒｉｖｅ）５０８などを備えており、それぞれがバスＢで相互に接続されている。なお、入力装置５０１及び表示装置５０２は必要なときに接続して利用する形態であってもよい。
【００２９】
入力装置５０１は、ユーザが各種信号を入力するのに用いるタッチパネル、操作キーやボタン、キーボードやマウスなどである。表示装置５０２は、画面を表示する液晶や有機ＥＬなどのディスプレイ、音声や音楽などの音データを出力するスピーカ等で構成されている。通信Ｉ／Ｆ５０７は、端末１００又はリモコン２００をネットワークに接続するインタフェースである。これにより、端末１００又はリモコン２００は、通信Ｉ／Ｆ５０７を介してデータ通信を行うことができる。
【００３０】
また、ＨＤＤ５０８は、プログラムやデータを格納している不揮発性の記憶装置の一例である。格納されるプログラムやデータには、端末１００又はリモコン２００全体を制御する基本ソフトウェアであるＯＳ（Ｏｐｅｒａｔｉｎｇ  Ｓｙｓｔｅｍ）、及びＯＳ上において各種機能を提供するアプリケーションなどがある。
【００３１】
なお、端末１００又はリモコン２００は、ＨＤＤ５０８に替えて、記憶媒体としてフラッシュメモリを用いるドライブ装置（例えば、ソリッドステートドライブ：ＳＳＤ）を利用するものであってもよい。
【００３２】
外部Ｉ／Ｆ５０３は、外部装置とのインタフェースである。外部装置には、記録媒体５０３ａなどがある。これにより、端末１００又はリモコン２００は外部Ｉ／Ｆ５０３を介して記録媒体５０３ａの読み取り及び／又は書き込みを行うことができる。記録媒体５０３ａにはフレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード、ＵＳＢ（Ｕｎｉｖｅｒｓａｌ  Ｓｅｒｉａｌ  Ｂｕｓ）メモリなどがある。
【００３３】
ＲＯＭ５０５は、電源を切ってもプログラムやデータを保持することができる不揮発性の半導体メモリ（記憶装置）の一例である。ＲＯＭ５０５には端末１００又はリモコン２００の起動時に実行されるＢＩＯＳ（Ｂａｓｉｃ  Ｉｎｐｕｔ／Ｏｕｔｐｕｔ  Ｓｙｓｔｅｍ）、ＯＳ設定、及びネットワーク設定などのプログラムやデータが格納されている。ＲＡＭ５０４はプログラムやデータを一時保持する揮発性の半導体メモリ（記憶装置）の一例である。
【００３４】
ＣＰＵ５０６は、ＲＯＭ５０５やＨＤＤ５０８などの記憶装置からプログラムやデータをＲＡＭ５０４上に読み出し、処理を実行することで、端末１００又はリモコン２００全体の制御や機能を実現する演算装置である。
【００３５】
しかしながら、端末１００及びリモコン２００は、上述したハードウェア構成に限定されるものでなく、他の何れか適切な回路などのハードウェア構成により実現されてもよい。
［アプリケーション］
次に、本開示の一実施例によるアプリケーション１１０を説明する。アプリケーション１１０は、空気調和装置５０の利用側装置２１０又は熱源側装置２２０を制御する。アプリケーション１１０は、端末１００のＣＰＵ５０６によって実行される。なお、アプリケーション１１０を実行するのはＭＰＵなどいずれのプロセッサであってもよい。
【００３６】
アプリケーション１１０は、利用側装置２１０又は熱源側装置２２０の識別情報、設定項目及び駆動指示子を含む設定画面を端末１００の表示装置上に表示する。具体的には、インストーラが建物などに設置した各空気調和装置５０に対して初期設定をするために端末１００上でアプリケーション１１０を起動すると、アプリケーション１１０１は、各空気調和装置５０に対してアドレス、風向などの各設定項目を設定するための設定画面を端末１００の表示装置上に表示する。インストーラによる設定画面の操作に応答して、アプリケーション１１０は、インストーラによる操作内容を取得する。
【００３７】
アプリケーション１１０は、設定画面上の操作内容をリモコン２００に送信する。具体的には、アプリケーション１１０は、インストーラによる設定画面上のボタンの押下、トグルスイッチの切り替え、選択メニューにおける選択などに応答して、操作内容をリモコン２００に送信する。
［アドレス設定画面］
次に、図３〜６を参照して、本開示の一実施例によるアドレス設定画面を説明する。図３〜６は、アドレス設定画面の遷移例を示す図である。
【００３８】
例えば、設置した各空気調和装置５０に対してアドレスを初期設定するため、アプリケーション１１０はまず、図３に示されるような設定画面を端末１００の表示装置上に表示する。図示された設定画面では、各空気調和装置５０に対して、ファンをオン／オフするための駆動指示子と、利用側装置２１０及び熱源側装置２２０を識別するための識別情報と、アドレスを設定するためのボタンとが表示される。ここで、空気調和装置５０は、図１に示されるように、室内機などの利用側装置２１０と、当該利用側装置２１０に調和された空気を供給する室外機などの熱源側装置２２０とから構成される。利用側装置２１０及び熱源側装置２２０などから構成される各空気調和装置５０には、当該装置を識別するための個別の識別情報が工場出荷時などに予め付与されており、当該識別情報は、設置された各空気調和装置５０からリモコン２００などのコントローラに送信される。
【００３９】
図示された具体例では、１１台の空気調和装置５０のそれぞれに対して付与されている識別情報Ｕｎｉｔ０１〜Ｕｎｉｔ１１が表示される。一方、空気調和装置５０の識別情報と実際の設置位置との間には初期的には関連付けがされていないため、空気調和装置５０を運用する際には、各空気調和装置５０にアドレスを設定して管理することが一般的である。例えば、あるエリアに設置された複数の空気調和装置５０はグループ化され、グループと個々の空気調和装置５０との双方が認識できるようなアドレスが設定されうる。
【００４０】
なお、図３に示された設定画面例では、各空気調和装置５０にアドレス"１−０１"、"１−０２"などが予め付与されているが、本開示による設定画面はこれに限定されず、初期的には空欄として表示され、インストーラが具体的なアドレスを設定してもよい。
【００４１】
典型的には、空気調和装置５０の設置後の初期設定の際、インストーラは、設定対象の空気調和装置５０が何れの識別情報に対応しているか確認できないという状況が想定される。このため、インストーラは、ファン、ＬＥＤランプ、フラップなどのインストーラが目視等により認知可能な動作を空気調和装置５０に起動させ、起動した空気調和装置５０と識別情報との対応関係を確認する。例えば、インストーラは、図４に示されるように、Ｕｎｉｔ０１の空気調和装置５０を確認するため、対応する駆動指示子"ファン"アイコンを押下して"オン"状態にする。インストーラによる"ファン"アイコンの押下に応答して、アプリケーション１１０は、Ｕｎｉｔ０１の空気調和装置５０のファンを起動するようリモコン２００に指示する。当該指示に応答して、リモコン２００がＵｎｉｔ０１の空気調和装置５０にファンを起動させると、インストーラは、ファンが起動された空気調和装置５０を特定し、特定した空気調和装置５０がＵｎｉｔ０１に該当することを確認できる。
【００４２】
Ｕｎｉｔ０１の空気調和装置５０を確認すると、図５に示されるように、インストーラは、Ｕｎｉｔ０１のアドレスを設定するためポップアップボタンを押下し、アプリケーション１１０は、設定可能なアドレスをインストーラが選択するための選択画面を表示する。
【００４３】
例えば、図６に示されるように、インストーラが選択画面からアドレス"３−０１"を選択して"適用"ボタンすると、アプリケーション１１０は、Ｕｎｉｔ０１の空気調和装置５０のアドレスを"３−０１"としてリモコン２００に設定するよう指示する。当該アドレス設定指示を受信すると、リモコン２００は、Ｕｎｉｔ０１の空気調和装置５０のアドレスを"３−０１"に設定する。
【００４４】
同様にして、インストーラは、他の設定対象の各空気調和装置５０に対して上述した手順に従ってアドレスを設定することが可能である。ここで、例えば、Ｕｎｉｔ０１の空気調和装置５０の駆動指示子がオン状態に設定されている間にＵｎｉｔ０２などの他の空気調和装置５０の駆動指示子がオン状態に設定されると、アプリケーション１１０は、Ｕｎｉｔ０２の空気調和装置５０のファンを駆動し、Ｕｎｉｔ０１の空気調和装置５０のファンを停止してもよい。これにより、インストーラは、直前に設定した空気調和装置５０のファンをオフ状態に切り替えるための操作を行うことなく、次の空気調和装置５０に対するアドレス設定を行うことが可能になる。
【００４５】
また、駆動指示子がオン状態に設定されてから所定の時間内に端末１００が操作されなかった場合、アプリケーション１１０は、駆動指示子をオフ状態に設定してもよい。すなわち、アプリケーション１１０は、インストーラが駆動指示子をオン状態に設定すると計時を開始し、所定の時間内にインストーラによる端末１００に対する操作がなかった場合、駆動指示子をオフ状態に切り替えてもよい。この場合、アプリケーション１１０は、駆動されているファンなどのアクチュエータをオフ状態にするようリモコン２００に指示する。これにより、インストーラによるファンなどの消し忘れを回避することができる。
【００４６】
上述した実施例によると、アドレスが未割り当ての空気調和装置５０に対して、インストーラは、端末１００上に一画面として表示されている設定画面を操作して、駆動指示子"ファン"の押下などによって認知可能な動作を当該空気調和装置５０に実行させることができ、当該空気調和装置５０の設置位置を確認しながら、画面遷移することなく空気調和装置５０に対してアドレスを設定することが可能になる。
【００４７】
また、例えば、インストーラはエリア内の同一区画に設置された複数の空気調和装置５０をグループ化し、グループアドレス及び機器アドレス（例えば、上述したアドレス"３−０１"は、グループアドレス"３"の機器アドレス"０１"を表しうる）を設定することが可能である。
［風向設定画面］
次に、図７〜９を参照して、本開示の一実施例による風向設定画面を説明する。図７〜９は、風向設定画面の遷移例を示す図である。
【００４８】
例えば、設置した各空気調和装置５０の風向を初期設定するため、アプリケーション１１０はまず、図７に示されるような設定画面を端末１００の表示装置上に表示する。図示された設定画面では、各空気調和装置５０に対して、ファンをオン／オフするための駆動指示子と、風向を設定するための空欄とが表示される。
【００４９】
なお、図７に示された設定画面例では、各空気調和装置５０の風向が未設定とされているが、本開示による設定画面はこれに限定されず、初期的にはデフォルトの風向が表示されてもよい。
【００５０】
典型的には、空気調和装置５０の設置後の初期設定の際、インストーラは、設定対象の空気調和装置５０が何れの識別情報に対応しているか確認するため、ファン、ＬＥＤランプ、フラップなどのインストーラが目視等により認知可能な動作を空気調和装置５０に起動させ、起動した空気調和装置５０と識別情報との対応関係を確認する。例えば、インストーラは、図８に示されるように、Ｕｎｉｔ０５の空気調和装置５０を確認するため、対応する駆動指示子"ファン"アイコンを押下して"オン"状態にする。インストーラによる"ファン"アイコンの押下に応答して、アプリケーション１１０は、Ｕｎｉｔ０５の空気調和装置５０のファンを起動するようリモコン２００に指示する。当該指示に応答して、リモコン２００がＵｎｉｔ０５の空気調和装置５０にファンを起動させると、インストーラは、ファンが起動された空気調和装置５０を特定し、特定した空気調和装置５０がＵｎｉｔ０５に該当することを確認できる。
【００５１】
また、インストーラによる"ファン"アイコンの押下に応答して、アプリケーション１１０は、図９に示されるように、Ｕｎｉｔ０５の風向をインストーラが選択するための選択画面を表示する。
【００５２】
例えば、図９に示されるように、インストーラが選択画面から風向"１５度"を選択して"適用"ボタンを選択すると、アプリケーション１１０は、Ｕｎｉｔ０５の空気調和装置５０の風向を"１５度"としてリモコン２００に設定するよう指示する。当該風向設定指示を受信すると、リモコン２００は、Ｕｎｉｔ０５の空気調和装置５０の風向を"１５度"に設定する。
【００５３】
同様にして、インストーラは、他の設定対象の各空気調和装置５０に対して上述した手順に従って風向を設定することが可能である。ここで、例えば、Ｕｎｉｔ０５の空気調和装置５０の駆動指示子がオン状態に設定されている間にＵｎｉｔ０６などの他の空気調和装置５０の駆動指示子がオン状態に設定されると、アプリケーション１１０は、Ｕｎｉｔ０６の空気調和装置５０のファンを駆動し、Ｕｎｉｔ０５の空気調和装置５０のファンを停止してもよい。これにより、インストーラは、直前に設定した空気調和装置５０のファンをオフ状態に切り替えるための操作を行うことなく、次の空気調和装置５０の風向を設定することが可能になる。
【００５４】
また、駆動指示子がオン状態に設定されてから所定の時間内に端末１００が操作されなかった場合、アプリケーション１１０は、駆動指示子をオフ状態に設定してもよい。すなわち、アプリケーション１１０は、インストーラが駆動指示子をオン状態に設定すると計時を開始し、所定の時間内にインストーラによる端末１００に対する操作がなかった場合、駆動指示子をオフ状態に切り替えてもよい。この場合、アプリケーション１１０は、駆動されているファンなどのアクチュエータをオフ状態にするようリモコン２００に指示する。これにより、インストーラによるファンなどの消し忘れを回避することができる。
【００５５】
上述した実施例によると、風向が未設定の空気調和装置５０に対して、インストーラは、端末１００の表示装置上に一画面として表示されている設定画面を操作して、駆動指示子"ファン"の押下などによって認知可能な動作を当該空気調和装置５０に実行させることができ、当該空気調和装置５０の設置位置を確認しながら、画面遷移することなく空気調和装置５０の風向を設定することが可能になる。
［制御処理］
次に、図１０を参照して、本開示の一実施例による制御処理を説明する。当該制御処理は、上述した制御システム１０の端末１００及びリモコン２００によって実行され、より詳細には、端末１００及びリモコン２００のプロセッサによって実現されうる。
【００５６】
図１０は、本開示の一実施例による制御処理を示すシーケンス図である。図１０に示されるように、ステップＳ１０１において、端末１００は、空気調和装置５０に対する設定画面を表示する。具体的には、インストーラがアプリケーション１１０にログインし、空気調和装置５０に対する設定項目を選択すると、アプリケーション１１０は、選択された設定項目を設定するための設定画面を表示する。当該設定画面は、利用側装置２１０又は熱源側装置２２０の識別情報、設定項目及び駆動指示子を含む。例えば、インストーラがアドレスを設定項目として選択すると、アプリケーション１１０はまず、図３に示されるような設定画面を表示してもよい。また、インストーラが風向を設定項目として選択すると、アプリケーション１１０はまず、図７に示されるような設定画面を表示してもよい。
【００５７】
ステップＳ１０２において、インストーラが設定画面上に表示された空気調和装置５０の何れか（例えば、ある利用側装置２１０）に対する駆動指示子"ファン"をオン状態に設定すると、アプリケーション１１０は、インストーラによる当該利用側装置２１０の駆動指示子"ファン"の選択操作を受け付ける。
【００５８】
ステップＳ１０３において、アプリケーション１１０は、選択された利用側装置２１０にファンＯＮ指示を通知するようリモコン２００に指示する。さらに、他の利用側装置２１０に前回にファンＯＮ指示を送信していた場合、アプリケーション１１０は、当該利用側装置２１０にファンＯＦＦ指示を通知するようリモコン２００に指示する。
【００５９】
ステップＳ１０４において、リモコン２００は、インストーラによって選択された利用側装置２１０にファンＯＮ指示を送信する。また、ステップＳ１０５において、リモコン２００は、インストーラによって前回選択された利用側装置２１０にファンＯＦＦ指示を送信する。
【００６０】
ステップＳ１０６において、アプリケーション１１０は、設定画面上でインストーラによる設定操作を受け付ける。例えば、インストーラが選択したＵｎｉｔ０１の空気調和装置５０に対してアドレス設定画面を操作すると、アプリケーション１１０は、当該設定操作を受け付ける。
【００６１】
ステップＳ１０７において、端末１００は、受け付けた設定内容に応じて設定信号をリモコン２００に送信する。例えば、端末１００は、受け付けたアドレス設定操作に応じて、Ｕｎｉｔ０１の空気調和装置５０に対してインストーラによって指定されたアドレスを設定するための設定信号をリモコン２００に送信する。
【００６２】
ステップＳ１０８において、リモコン２００は、受信した設定信号に従って選択されたＵｎｉｔ０１の空気調和装置５０のアドレスを設定する。
【００６３】
ステップＳ１０９において、アプリケーション１１０は、更なる設定操作がないか判断し、更なる設定操作を受け付けなかった場合、Ｕｎｉｔ０１の空気調和装置５０に対する設定が完了したと判断し（Ｓ１０９：ＹＥＳ）、ステップＳ１１０に移行する。他方、更なる設定操作を受け付けた場合、アプリケーション１１０は、Ｕｎｉｔ０１の空気調和装置５０に対する設定が完了していないと判断し（Ｓ１０９：ＮＯ）、ステップＳ１０６に戻って上述した処理を繰り返す。
【００６４】
ステップＳ１１０において、アプリケーション１１０は、インストーラが次の空気調和装置５０を選択したか判断する。インストーラが次の空気調和装置５０を選択した場合（Ｓ１１０：ＹＥＳ）、アプリケーション１１０は、ステップＳ１０２に戻って上述した処理を繰り返す。他方、インストーラが次の空気調和装置５０を選択しなかった場合（Ｓ１１０：ＮＯ）、アプリケーション１１０は、ステップＳ１１１において、ステップＳ１０３におけるファンＯＮ信号の送信から所定時間経過するまでに、選択された利用側装置２１０のファンＯＦＦ信号を送信したか判断する。ファンＯＮ信号の送信から所定時間経過するまでに、選択された利用側装置２１０のファンＯＦＦ信号を送信した場合（Ｓ１１１：ＹＥＳ）、アプリケーション１１０は、ステップＳ１１５において、インストーラによる設定が完了したか判断する。インストーラによる空気調和装置５０に対する設定作業が完了した場合（Ｓ１１４：ＹＥＳ）、アプリケーション１１０は、当該制御処理を終了する。他方、インストーラによる空気調和装置５０に対する設定作業が完了していない場合（Ｓ１１４：ＮＯ）、アプリケーション１１０は、ステップＳ１０２に戻り、上述した処理を繰り返す。
【００６５】
他方、ファンＯＮ信号の送信から所定時間経過するまでに、選択された利用側装置２１０のファンＯＦＦ信号を送信しなかった場合（Ｓ１１１：ＮＯ）、アプリケーション１１０は、ステップＳ１１２において、当該利用側装置２１０にファンＯＦＦ指示を送信するようリモコン２００に通知する。当該通知を受信すると、リモコン２００は、ステップＳ１１３において、ファンがオン状態になったままの利用側装置２１０にフォンＯＦＦ指示を送信する。
【００６６】
以上、実施形態を説明したが、特許請求の範囲の趣旨及び範囲から逸脱することなく、形態や詳細の多用な変更が可能なことが理解されるであろう。
【符号の説明】
【００６７】
１０  制御システム
５０  空気調和装置（空調機）
１００  端末
１１０  アプリケーション
２００  リモコン
２１０  利用側装置（室内機）
２２０  熱源側装置（室外機）
【図１】
0006943303.tif 000002
【図２】
0006943303.tif 000003
【図３】
0006943303.tif 000004
【図４】
0006943303.tif 000005
【図５】
0006943303.tif 000006
【図６】
0006943303.tif 000007
【図７】
0006943303.tif 000008
【図８】
0006943303.tif 000009
【図９】
0006943303.tif 000010
【図１０】
0006943303.tif 000011